(57)【要約】  防犯装置は、ロッキング部材と、ラチェット機構と、複数のケーブルとを含む。ケーブルは、箱状の物品の６つの側面すべての周りに巻かれる。装着クリップは、防犯装置の本体中に解放可能にスナップ留めされ、磁気的に吸引可能な部材によってその中にロックされる。ラチェット機構は、スプールとロッキング爪またはレバーとを含む。筐体の上部壁またはロッキングクリップは、クリップを筐体からロック解除し、スプールをラチェット機構から解放するための鍵を位置決めするための鍵受け凹部を有する。スプールは内部ばねによって付勢されて、クリップが筐体からロック解除された後にケーブルをスプール上に自動的に巻取ったり、ケーブルの弛みを巻上げたりする。筐体は、物品の周りでケーブルをさらに締めるように手動で内部スプールを回転させるための回転可能なハンドルを有する。
2010522930.tif 000002
【特許請求の範囲】
【請求項１】
対象物の周りに配置するための防犯装置であって、
筐体と、
前記対象物の周りに配置するためのケーブルと、
前記筐体の中に回転可能に搭載され、前記ケーブルの第１の端に動作するように装着されるスプールと、
前記ケーブルの第２の端に装着され、前記筐体に挿入されて前記対象物の周りに前記ケーブルをしっかり固定するためのクリップと、
前記筐体に前記クリップをロックするためのロック機構と、
前記ケーブルが前記対象物の周りで締め付けられた状態で維持されるように、前記スプールと動作するように係合可能なラチェット機構と、
前記筐体から前記クリップをロック解除するための鍵と、
前記ケーブルの巻上げ方向に前記スプールを自動的に回転させて前記ケーブルを前記スプールに巻取るための引込み機構とを備える、防犯装置。
【請求項２】
前記ケーブルは、前記筐体から延在して前記クリップに接続されるケーブル区間を２つのみ含む、請求項１に記載の防犯装置。
【請求項３】
前記ラチェット機構は、前記筐体内に可動に搭載され、かつ前記スプールと係合可能な複数のロッキング爪を有するロッキングディスクを含む、請求項１に記載の防犯装置。
【請求項４】
前記複数のロッキング爪は、前記クリップが前記筐体にロックされると前記スプールのケーブルほどき方向への回転を防止するように、前記スプール上に形成されたラチェット歯と係合可能なラチェット歯を有する、請求項３に記載の防犯装置。
【請求項５】
前記ロック機構は、前記ロッキングディスク上に形成された少なくとも１つの突起と解放可能に係合可能な少なくとも１つの磁気的に吸引可能な部材を含む、請求項３に記載の防犯装置。
【請求項６】
前記ロック機構は、前記スプール上に形成された歯車の歯と係合可能なラチェット歯を一方端に有し、前記クリップが前記筐体に挿入されると前記ケーブルのクリップと係合可能な第２の端を有する、前記ハウジング上に回動するように搭載されたピボットアームを含む、請求項１に記載の防犯装置。
【請求項７】
前記ラチェット機構は、前記筐体内で回動するように搭載され、前記スプール上に形成されたロッキング歯と係合するようにかつロッキング歯との係合から外れるように可動なロッキングレバーを含む、請求項１に記載の防犯装置。
【請求項８】
前記スプールはその間にケーブル収納空間を形成する１対の間隔をあけられたフランジを有し、前記ロッキング歯は前記スプールのフランジの周囲上に形成され、前記ロッキングレバーは前記スプールのフランジの前記ロッキング歯と係合する、請求項７に記載の防犯装置。
【請求項９】
ケーブル巻上げ方向に前記スプールを付勢するばねを含む、請求項１に記載の防犯装置。
【請求項１０】
前記筐体内に搭載されるアラームシステムを含み、検知ループが前記ケーブルに形成され、危険に晒されると前記アラームシステムの音響アラームを作動させる、請求項１に記載の防犯装置。
【請求項１１】
前記音響アラームは前記筐体の底部壁に隣接して位置し、前記筐体が前記対象物に対して配置されている場合は前記底部壁と前記対象物との間に空間を設けて、作動の際に前記アラームの可聴音が大きくなるように、前記筐体の底部壁から突起が延在する、請求項１０に記載の防犯装置。
【請求項１２】
前記ケーブルは１対のケーブルループを含み、各々のループは電気コネクタにおいて終端し、前記電気コネクタは前記クリップが前記筐体にロックされている場合に前記アラームシステムの電気コンタクトを係合する、請求項１０に記載の防犯装置。
【請求項１３】
前記アラームシステムは、前記アラームシステムが活性化していることを示す視覚インジケータを含む、請求項１０に記載の防犯装置。
【請求項１４】
前記ラチェット機構は、前記スプールを手動で回転させて前記対象物の周りで前記ケーブルを締めるための、前記筐体上に回転可能に搭載される巻取り機構を含む、請求項１に記載の防犯装置。
【請求項１５】
前記巻取り機構は、前記ケーブル巻上げ方向に前記スプールを回転させて前記対象物の周りで前記ケーブルを締めるための、回動するように搭載された跳ね上げ式ハンドルを含む、請求項１４に記載の防犯装置。
【請求項１６】
前記ロック機構は、前記クリップとのロック位置とロック解除位置との間で可動である少なくとも１つの磁気的に吸引可能なロッキング部材を含み、前記ロッキング部材は前記ロック位置に向けて付勢される、請求項１に記載の防犯装置。
【請求項１７】
前記クリップは第１および第２の長手方向に整列した凹部を有するように形成され、前記ロッキング部材はロッキング凹部を前方方向に係合していって第１のロック位置および次に前記筐体内の第２のロック位置に前記クリップを配置する、請求項１６に記載の防犯装置。
【請求項１８】
前記クリップが前記第１のロック位置にある場合は前記スプールは空転し、前記クリップが前記第２のロック位置にある場合は空転しないようにされる、請求項１７に記載の防犯装置。
【請求項１９】
対象物の周りに配置されるように適合される防犯装置であって、
筐体と、
前記筐体から延在して前記対象物の周りに配置されるためのケーブル区間を２つのみ有するケーブルと、
スプールが前記ケーブル区間の第１の端に接続されて、前記ケーブル区間を前記対象物の周りで締めるためのラチェット機構と、
前記ケーブル区間の第２の端に接続され、前記筐体と取外し可能に係合されるロッキングクリップと、
前記ケーブルを前記対象物の周りにしっかり固定するように、前記筐体とのロック位置に前記クリップをロックするためのロック機構とを備える、防犯装置。
【請求項２０】
ケーブル巻取り方向に前記スプールを付勢するように前記筐体の中に搭載される引込み機構を含む、請求項１９に記載の防犯装置。
【請求項２１】
前記スプールが前記ケーブル巻取り方向に移動できるように前記スプールと係合可能な解放機構を含む、請求項２０に記載の防犯装置。
【請求項２２】
前記筐体内に搭載されるアラームシステムを含み、検知ループが前記ケーブルに形成され、危険に晒されると前記アラームシステムの音響アラームを作動させる、請求項２０に記載の防犯装置。
【請求項２３】
前記ラチェット機構は、前記スプールを手動で回転させて前記対象物の周りで前記ケーブルを締めるための、前記筐体上に回転可能に搭載される巻取り機構を含む、請求項１９に記載の防犯装置。
【請求項２４】
前記ロック機構は、前記クリップとのロック位置とロック解除位置との間で可動である少なくとも１つの磁気的に吸引可能なロッキング部材を含み、前記ロッキング部材は前記ロック位置に向けて付勢され、前記クリップは第１および第２の長手方向に整列された凹部を有するように形成され、前記ロッキング部材はロッキング凹部を前方方向に係合していって第１のロック位置および次に前記筐体内の第２のロック位置に前記クリップを配置する、請求項１９に記載の防犯装置。
【請求項２５】
対象物の周りに配置されるように適合される防犯装置であって、
内部スプールを有する筐体と、
前記スプールに動作するように接続され、前記筐体から延在して前記対象物の周りに配置されるためのケーブルと、
前記スプールに装着され、前記筐体と取外し可能に係合されるクリップと、
前記クリップを前記筐体にロックするための磁気的に作動されるロック機構と、
前記クリップを前記筐体からロック解除するように前記ロック機構を作動させるように前記クリップ上に位置決め可能な１対の磁石を有する鍵とを備える、防犯装置。
【請求項２６】
前記スプール上の巻取り位置に向けて前記ケーブルを付勢する引込み機構を含み、前記ロック機構は第１のロック位置で前記クリップを前記筐体にロックし、これにより前記引込み機構が前記ケーブルから弛みを除去できるようにし、前記ロック機構は第２のロック位置で前記クリップを前記筐体にロックして、ケーブル巻取り方向に前記スプールを手動で回転させることにより前記ケーブルが前記対象物の周りで締められるようにする、請求項２５に記載の防犯装置。
【請求項２７】
前記スプールが前記ケーブル巻取り方向に移動できるように前記スプールと係合可能な、手動で動作される解放機構を含む、請求項２６に記載の防犯装置。
【発明の詳細な説明】
【技術分野】
【０００１】
発明の背景
１．技術分野
この発明は防犯装置に関し、より特定的には、箱状の構造の周りに巻かれかつこれを安全なロック位置にしっかりと固定する調節可能な防犯装置に関する。さらに特定的には、この発明は、保護対象の物品の周りに巻かれる複数のケーブルを含み、物品の周りに配置された後にケーブルを装置にロックし、また鍵を用いて装置からケーブルをロック解除するための独自の機構と、装置内のスプール上にケーブルを自動的に引込む機構とを有するケーブル巻付防犯装置に関する。
【背景技術】
【０００２】
２．背景情報
小売店は、さまざまな高価な商品、書籍および他の類似の構造のパッケージを含む箱を保護したり、またはそのような入れ物が開封されたり、ディスプレイされている間にその中身が店員の許可なく取り出されたり損傷されたりすることから保護したりするのに苦慮している。消費者は、物品の購入を決める前に、包装された高価な物品を目で確かめたいと望むことが多い。店舗側は、販売用に物品をディスプレイしつつ、これらの高価な物品を盗難からいかに守るかという問題に直面している。
【０００３】
これらのパッケージおよびその中に含まれる物品を保護するのに用いられる１つの方法は、権限のある店員のみがアクセス可能な透明なガラスディスプレイケース内に物品を封入することである。消費者はガラス越しに物品を見ることができるが、店員にケースから物品を取り出してもらわなければ、物品を手に取ったり、箱の上に印刷され得る物品についての情報を何も読んだりすることができない。しかしながら、大規模小売店では、顧客が選んだ商品を購入することを希望した後に、商品を盗難の危険に晒さずに当該商品を顧客に渡すという問題が発生する。１つの態様は、高価な物品または商品が入っている箱の在庫を手近に維持しておいて、レジの店員の所に後で持っていくために顧客に引渡したり、引取ってもらったりすることである。しかしながら、このようにすると箱が盗難に遭いやすくなってしまい、販売店員がさらに必要となる。
【０００４】
小売店が用いる別の方法は、物品をカタログに載せて、顧客がカタログから注文しなければならないようにすることである。物品は裏の倉庫エリアから配送され、消費者は、店舗からの無許可の持ち出し防止のため、同じ場所で商品を引取るとともに同時に支払いをしなければならない。消費者は、購入前に物品を調べることができず、気に入らなかった場合は消費者は返品して返金してもらうという不便を被らなくてはならない。
【０００５】
箱および箱状の構造はまた、宅配業者によって輸送されている間も無許可開封の可能性に晒される。これらの物品は、受取人または発送人がそのような不法行為を知らないうちに、従来の態様で包装されるまたはテープで封をする際に容易に開封されたり封をし直されたりする可能性がある。出荷されたパッケージはロッキング機構を備える防犯容器に厳重保管され得るが、これらの容器の購入は高価であり、パッケージのサイズおよび重量が増大し、輸送がさらに高価になってしまう。また、泥棒予備軍がロッキング機構を「ピッキング」することにより、または場合によってはダイヤル式の錠の組合せを推測することにより、これらの容器の中身に不正にアクセスする可能性がある。
【０００６】
いくつかの先行技術のロッキング装置は、小売店でディスプレイされている間にまたはある場所から別の場所に輸送されている間に閉鎖状態でパッケージまたは対象物を守ると
いうこの課題を十分に解決してきた。これらの先行技術の防犯装置のいくつかは、物品の周りに巻かれ、何らかのタイプのロッキング機構によってしっかり固定されるワイヤを含む。たとえば、米国特許第３，６１１，７６０号、第４，４１８，５５１号、第４，７５６，１７１号、第４，８９６，５１７号、第４，９３０，３２４号、第５，１５６，０２８号、第５，７２２，２６６号、第５，７９４，４６４号、第６，０９２，４０１号、および第７，１６２，８９９号を参照のこと。
【０００７】
これらの先行技術のケーブル巻付防犯装置の多くは満足なものであることがわかっているが、それらは、保護対象物の周りでケーブルを締め、防犯装置がパッケージから取外された後に防犯用ケーブルを装置の中へ引込むためのラッチ機構を動作させる特別な道具を必要とすることがある。また、別のパッケージの周りに配置するためにより大きなサイズに合わせてケーブルを外に引張れるようにするために、ケーブルが巻取られる内部スプールが空回りできるような機構を必要とするものもある。
【０００８】
また、これらの先行技術の装置は、通常、防犯装置が一旦パッケージから取外されると、収納のためにケーブルを手作業でスプールに再び巻取ることを必要とする。これは、小売店の店員にさらなる作業を要求し、ケーブルがきちんと巻直されなければ、ケーブルが他のケーブルと絡み合って、収納の問題が生じ、パッケージの再利用および取替えについてさらなる作業が必要となってしまう。
【０００９】
したがって、ラチェット機構およびロッキング部材を含み、パッケージの周りでケーブルを締めるのにいかなる特別な道具も必要としない、ケーブルの一方端に装着されるクリップがハウジングに挿入されるとロック機構がケーブルを対象物の周りの定位置にロックし、ほぼ同時にケーブルスプールを固定位置にロックして、ケーブルを手作業で巻取って対象物の周りでケーブルをさらに締めるまでスプールが以後動かないようにする、ケーブル巻付防犯装置の必要性が存在する。
【発明の概要】
【課題を解決するための手段】
【００１０】
本発明の防犯装置は、箱、パッケージ、書籍またはその他の同様の構造の６つの側面すべてを取囲みロックすることが意図される複数のワイヤまたはケーブルを含む。ケーブルは、複数の歯を有する歯車を含むラチェット部材と、歯に係合する一方向爪と、ケーブルを収納しかつラチェット部材によって制御されるスプールと、ケーブルを装置にロックするためにケーブルの自由端に装着されるクリップと、ケーブルクリップを装置にロックし、ケーブルスプールを固定位置にしっかり固定するとともに、一旦対象物の周りにしっかり固定されるとケーブルをロック解除するのに特殊鍵を含みかつこれを必要とするロッキング機構との間を延びる。
【００１１】
本発明の別の特徴は、ケーブルを保護された物品から取外せるようにするには、特別な磁気式鍵が内部保護されたロッキング部材をロック解除することが必要な、そのような防犯装置を提供することである。
【００１２】
本発明のさらなる特徴は、防犯ケーブルの検知ループの完全性が脅かされたり危険に晒されたりした場合に作動する音響アラームを防犯装置に備えることであり、防犯装置は、潜在的な泥棒が防犯装置を保護された物品から取外す前に敷地を離れようとした場合に防犯ゲートでアラームを作動させるＥＡＳタグを含んでもよい。
【００１３】
この発明のより一層の特徴は、特殊鍵を用いてロック機構からケーブル装着クリップをロック解除するとすぐに自動解除される一方向ラチェットを含む、そのような防犯装置を提供することである。
【００１４】
この発明の別の特徴は、ロッキング機構が磁気式解放機構によって開かれる、そのような防犯装置を提供することである。
【００１５】
この発明のまた別の局面は、ラチェット機構を回して保護される物品の周りでケーブルを締めるための特殊鍵を必要としない、ラチェット機構を手動で動作してラチェット機構のハンドルによって物品の周りでケーブルを締める、そのような防犯装置を提供することである。
【００１６】
別の特徴は、ケーブル収納スプールを内部ばねによって巻取り方向に付勢し、これにより、スプールおよびケーブル装着クリップがロック解除機構から解放されると、スプールが自動的にケーブルをスプール上に巻戻して、ぶらぶらした状態でケーブルが露出するのを回避することである。これにより防犯装置がコンパクトな状態になってその後の使用の準備が整った状態になり、他の対象物と絡まる恐れがある露出状態のケーブルをなくし、ケーブルが物品から取外された後にケーブルをスプール上に手動で巻戻す必要性を回避する。
【００１７】
この発明のさらなる目的は、防犯装置の筐体またはロッキングクリップに形成される１対のアパーチャの中にキーを配置した後に、ロック解除鍵によって、ロック機構がロック位置からロック解除位置に動かされ得るようにすることである。
【００１８】
別の特徴は、防犯装置が、スプールに装着されかつ筐体から延在するケーブルまたはケーブル区間を２つしか有しないことであり、これにより、より便利に動作される機構が提供され、ケーブルにより大きな巻上げ張力がかかるようになる。
【００１９】
この発明のさらに別の局面は、ケーブルが物品の周りに配置された後にケーブルの弛みを自動的に巻上げて、その後ケーブルが第１の所望の張力まで手動で締められる、ばねで付勢されるスプールである。
【００２０】
さらなる特徴は、しっかり固定された物品の隣に配置され、泥棒による当該物品へのアクセスを防止し、底部壁と物品との間にわずかな空間を設けて音響アラームの音の伝導を向上させる、筐体の底部壁に隣接した音響アラームの搭載である。
【００２１】
この発明の別の局面は、押下されるとスプール上にケーブルを自動的に巻取って、店員がケーブルの動きを容易に制御できるようにするスプール解放ボタンを設けることである。
【００２２】
またさらなる特徴は、解放レバーによって係合される周囲歯をスプールの両方のフランジに設けて、ケーブルに加わるより大きな張力にスプールが必ず耐えられるようにすることである。
【００２３】
別の特徴は、内部アラームシステムの電子回路構成上のスイッチを制御して、防犯装置の主筐体からクリップが取外されると音響アラームを非活性化する手段をケーブル装着クリップに設けることである。
【００２４】
これらの特徴は本発明の防犯装置によって得られ、その一般的な性質は、筐体と、対象物の周りに配置されるケーブルと、筐体の中に回転可能に搭載され、ケーブルの第１の端に動作するように装着されるスプールと、筐体に挿入されるようにケーブルの第２の端に装着されて対象物の周りにケーブルをしっかり固定するクリップと、クリップを筐体にロックするためのロック機構と、動作するようにスプールと係合可能であってケーブルを対
象物の周りで締め付けられた状態に維持するラチェット機構と、クリップを筐体からロック解除するための鍵と、ケーブル巻上げ方向にスプールを自動的に回転させてケーブルをスプール上に巻取る引込機構とを備えるものとして述べられ得る。
【００２５】
出願人が原則を適用することを企図する最良モードを図示するこの発明の好ましい実施例が以下の説明中で述べられ、図面に示され、添付の請求項に特におよび区別されるようにして指摘されかつ述べられる。
【００２６】
図面を通じて同じ番号は同じ部分を参照する。
図面のいくつかの図の簡単な説明
【図面の簡単な説明】
【００２７】
【図１】パッケージ上にしっかり固定された、本発明の防犯装置を示す概略上面平面図である。
【図２】図１の矢印２−２の方向から見た側面立面図である。
【図３】図１の矢印３−３の方向から見た側面立面図である。
【図４】防犯装置の分解斜視図である、図４Ａおよび図４Ｂの組合せである。
【図５】筐体頂部カバープレートの内側面の平面図である。
【図６】ラチェット機構のロッキングディスク構成要素の下側面の平面図である。
【図７】頂部カバープレートの下からの、ロック位置にある防犯装置の断面図である。
【図７Ａ】点破線で示したロッキングディスクと係合した状態で示される、ロッキング機構のピボットアーム構成要素の部分図である。
【図８】内部スプール引張ばねのぴんと張った状態を示す、防犯装置の底面平面図である。
【図９】図７の線９−９に沿った拡大断面図である。
【図１０】ロック位置にあるロック機構を示す、図７の線１０−１０に沿った拡大断面図である。
【図１１】防犯装置と係合したロック解除鍵を示す、図１と同様の上面平面図である。
【図１２】鍵がロック解除位置に移動するちょうど前に鍵がロック機構に係合した状態の、ロック位置にあるロッキング機構を示す、図７と同様の断面図である。
【図１３】図１２の線１３−１３に沿った断面図である。
【図１４】ロック解除鍵がロック解除位置に移動するのを示す、図１１と同様の上面平面図である。
【図１５】ロッキング機構がロック解除位置にあり、ラチェット機構およびケーブルクリップが係合解除位置にあるのを示す、図１２と同様の断面図である。
【図１６】ロック解除位置にあるロックされた機構を示す、線１６−１６に沿った断面図である。
【図１７】防犯装置がパッケージ上に配置され、ケーブルクリップがスプールから放されてパッケージの周りに配置されるのを示す、図１と同様の平面図である。
【図１８】ケーブルがパッケージの周りに配置された後の、ケーブルクリップが防犯装置の筐体に挿入された状態を示す、図１７と同様の図である。
【図１９】ロック解除鍵の斜視図である。
【図２０】ケーブル装着クリップ接続部の変形実施例を示す、一部破断部分上面平面図である。
【図２１】本発明の防犯装置の第２の実施例の概略上面斜視図である。
【図２２】図２１の防犯装置の主要構成要素の平面図である図２２Ａおよび図２２Ｂの組合せの図である。
【図２３】上部筐体構成要素の内側の平面図である。
【図２４】底部筐体構成要素の外側の平面図である。
【図２５】図２１の変形された防犯装置のスプールの側面立面図である。
【図２６】図２５のスプールの底面平面図である。
【図２７】変形された防犯装置のクリップハウジングの端面図である。
【図２８】変形された防犯装置のロッキング機構のロッキングレバーの上面平面図である。
【図２９】保持具から取外された、ぐるぐる巻かれた引張ばねの分解斜視図である。
【図３０】ロッキングクリップが筐体から取り外された、図２１の防犯装置の上面平面図である。
【図３１】図３０の線３１−３１に沿った拡大部分断面図である。
【図３２】クリップが図３１の位置から動かされて、防犯装置の筐体の端内で係合するのを示す、部分断面図である。
【図３３】クリップが筐体内の第１のロック位置に移動するのを示す、図３０と同様の一部を断面で示す、部分上面平面図である。
【図３４】図３３の線３４−３４に沿った部分断面図である。
【図３５】図３３の線３５−３５に沿った断面図である。
【図３６】防犯装置の筐体内でクリップが完全にロックされた位置にあるのを示す、図３３と同様の、一部を断面で示す部分上面平面図である。
【図３７】図３６の線３７−３７に沿った部分断面図である。
【図３８】クリップが筐体内の完全にロックされた位置にあり、ケーブルがスプールの周りに巻取られた位置にあるのを示す、図３６の線３８−３８に沿った断面図である。
【図３９】作動ボタンが押下された状態にあり、スプールがケーブルを筐体内に巻取っていることを示す、一部を断面で示す上面平面図である。
【図４０】磁気式鍵がクリップを筐体からロック解除しているのを示す、図３５と同様の断面図である。
【発明を実施するための形態】
【００２８】
発明の詳細な説明
本発明の防犯装置は一般的に１で示され、図１から図３ではパッケージ３の周りにしっかり固定されて示される。防犯装置１は、一般的に５で示される主筐体（図４）と、内部スプール８上に収納される複数の、好ましくは２本のケーブル７とを含む。筐体５（図４Ｂ）は、好ましくは楕円形の側壁１０によって形成される主筐体本体９を含み、内部スプール区画１１およびロック区画１３を有する。筐体５はさらに、複数の締結具１７によって筐体本体９の頂部周縁上にしっかり固定される頂部カバープレート１５（図４Ａおよび図５）を含む。二重ケーブル７の一方端は内部スプール８に接続され、その他方端は装着クリップ１９に接続される。
【００２９】
ケーブル７は、楕円形の側壁１０および湾曲壁５７によって形成されるスプール区画１１内に取込まれ、回転可能に含まれるスプール８上に収納され、頂部プレート１５によってその中に保持される。巻取柱２１（図９）は、スプール８中に形成された円形の孔２２を通って延在し、好ましくは製造時に時計ばね２３に予め張力をかけるのに用いられ、これによりスプール８に付勢を与えてこれを巻取り方向に回転させて、図９に示されかつ以下にさらに論じられるようにケーブルをスプール上の収納位置に引込む。スプール８は、間隔をあけられたフランジ２５および２６と介在壁３１とを有し、これらの間にケーブル収納区域が形成される。一方向歯車の歯２８の環状リング２７は上側スプール２６上に搭載され、筐体５内でのスプールの回転運動を制御するためのラチェット機構の一部を形成する。時計ばね２３は張力付与部材２９（図４Ａ）の環状の内側部分の中に位置し、張力付与部材は、部材２９を手動で回転させてパッケージ３の周りに配置された後にケーブルに張力を与えるためのクロスバー３０を含む。時計ばね２３の一方端９３は巻取柱２１に接続され、別の端がスプール８に接続される。１つの種類の接続は、部材２９の円筒形の
側壁に形成されたスロット３４を通って、スプール壁３１中に形成されたスロット付き開口９６の中へ延在するばね２３に装着される突起３３（図４Ｂ）によるものであり得る。張力付与部材２９は、スプール８中に形成されたスロット３２の中に延在する複数のスナップ式突起２４によってスプール８に接続される。ケーブル７は、図２に示されるような筐体本体９の側壁１０に形成された１対の孔３６を通って出て行き、１対の位置決め玉状止め具３８がそれに装着される。
【００３０】
ラチェット機構は、一般的に３５で示されるロッキングディスク（図４Ａ）を含み、ロッキングディスクは、一方端にほぼ円形の構成を有し、当該一方端には中央部円形開口３７が形成され、その中に複数の可撓性ロッキング爪３９がアーチ状片持ち梁の態様で延在している。各々のロッキング爪は、一連の歯車の歯４３に隣接して遠端に形成されるカム（camming）突起または柱４１を有する。ロッキングディスク３５は、以下にさらに論じられるように、ロッキングディスク反対端３５の端部にほぼ矩形のセグメント４５を有し、このセグメントは、１対のロッキングタイン（tine）４９を受けてロッキングディスク３５をロック位置にしっかり固定するための１対の先細凹部４７を有するように形成される。タイン４９は好ましくは金属ロッキングストリップ５１から一体に形成され、それから外向きに付勢されると、図７、図９および図１０に特に示されるように回転不可能なロック位置にロッキングディスク３５をしっかり固定する。
【００３１】
矩形の１対の鍵受け凹部５３はロッキングディスク３５の矩形の端４５に形成され、その目的を以下にさらに論じる。ロッキングディスク３５は、ロッキングディスク（図９）の円形開口３７の内周をスナップ式に係合する、カバープレート１５上に形成される３つの湾曲突起４８によって筐体カバープレート１５の内側面４６に装着される。スプール８の環状リング２７は、ロッキングディスク３５の円形開口３７を通って上向きに延びて、ロッキング爪３９の歯車の歯４３が、ロッキング爪３９の可撓性片持ち梁構成により、図７に示されるようにリング２７の歯車の歯２８と係合可能である。ロッキングディスク３５はまた、ロッキング爪３９の柱４１がその中に向かって延びる、プレート１５の表面４６から突出しその上に形成される３つの湾曲したボス５２に対して静止している。
【００３２】
筐体頂部カバープレート１５（図５）には、クロス部材３０にアクセスできるようにし、張力付与部材２９をその中で回転可能に受けるための円形開口５９が形成される。カバープレート１５も１対の鍵受けスロット６１を含み、このスロットは、細長い構成を有し、ロッキングディスク３５の鍵凹部５３と整列している。鍵位置決め桟６３がカバープレート１５の外面上に形成されて、図１１および図１３に示されるように配置されると、磁気式鍵６６（図１９）の１対の鍵突起６５を整列させ位置決めするのを助けるようにして、以下にさらに論じられるようにロッキングディスク３５の凹部４７内でのロッキング係合からロッキングタイン４９をロック解除する。
【００３３】
本発明の独自のロッキング機構は、一般的に６９で示される、回動するように搭載されたロックアーム（図４Ｂ）を含み、ロックアームは、湾曲端７１と、対向端７２と、介在ピボット７３とを含む。端７２はアーチ状のラチェット歯７４の部分を有するように形成され、端７１はそこから下向きに延在する１対のボス７５を有するように形成される。ロックアーム６９は、ピボット７３を形成する開口の中に延びかつロック区画１３の中に位置する柱７７の上方端上に回動するように装着され、これにより、組立てられると、ラチェットの歯７４が、図６に示されるようなロッキングディスク３５の端４５の底面上に形成されたラチェット歯７８のアーチ状セグメントと嵌め合い係合する。ロックアーム６９はピボット柱７７上に形成された環状の肩７０上で静止しかつこれによって支持され、アーチ状突起６７と、プレート１５の内側面上から延在する環状ボス６８（図５および図９）とによって定位置に保持される。ピボット柱７７の延在端はボス６８内で受けられる。アーム６９は壁５７（図４Ｂ）に沿って形成された１対のリブ６２によっても支持される
。ボス７５は、装着クリップ１９（図４Ｂ）の端に形成された１対の角度付きスロット８０との解放可能な係合のため、側壁９の端に隣接して形成された桟７６に形成された１対の湾曲開口７９を通って延在する。装着クリップ１９は、パッケージ３の周りにケーブルをしっかり固定するために係合ロック位置にある場合に、筐体壁１０の端に形成されるアーチ状開口８３に挿入されるように適合される。
【００３４】
図７に示されるように、ロック区画１３に圧電アラーム８５が搭載され、圧電アラーム８５は、図８に示されるような筐体本体９の底部に形成された電池カバー８８を通してアクセス可能な電池（図示せず）によって電力供給される、同様に区画１３に搭載されるプリント回路基板８７と動作するように係合される。ＥＡＳタグ９０は好ましくはロック区画１３中に位置し、動作するように接続され、かつプリント回路基板８７によって制御される。
【００３５】
プリント回路基板８７およびアラーム８５によって提供されるアラームシステムは、この発明の概念の範囲内の、音響磁気（ＡＭ）、電磁（ＥＭ）および無線周波数（ＲＦ）などの異なるタイプのＥＡＳタグ９０を実現し得る。さらに、電気検知ループがケーブル７によって提供されるため、ケーブルのうち１本が切断されたり防犯装置から切り離されたりすると、アラームシステムが音響圧電アラーム８５を作動させる。また、ＥＡＳタグ９０は、もし泥棒が、保護された防犯ゲートの出口を通って、防犯装置が装着された保護物品を不正な態様で持ち出そうとしたならば、音響アラームまたは他の信号装置を防犯ゲートで作動させることが意図される。アラームシステムおよびその構成要素は防犯技術分野では周知であるので、さらに詳細には説明しない。
【００３６】
組立てられた位置では、スプール８は筐体５内に巻取柱２１上に回転可能に搭載され、ケーブル７は、ケーブルのうち２本が孔３６（図２）を通って外向きに延びてクリップ１９で終端した状態で、スプール上に収納される。スプール８は、筐体５の底部壁の中およびスプールの孔２２を通って形成される相補形状の孔９１を通って延在する巻取柱２１上に回転可能に搭載される。１対のアーチ状突起９２（図４Ｂ）が孔９１を囲み、１対のスロット９９を形成する。好ましくは張力付与装置１の製造後であって顧客への出荷前に、巻取柱２１が時計ばね２３に予め張力を付与する。時計ばね２３の一方端９３は、巻取柱２１の中に形成されたスロット９５に挿入され、時計ばねの別の端は、以上で論じられたようにスプール８の壁３１に形成されたスロットを有する開口９６の中へ張力付与部材２９のスロット３４を通って延在する突起３３によってスプール８に固定される。巻取柱２１は孔９１およびスプール孔２２に部分的に挿入され、次に予め定められた回転数だけ回転されて、時計ばね２３を所望の張力まで張力付与する。次に柱２１は孔９１に完全に挿入され、その中で、柱２１の底部に形成された１対の翼９８がノッチ９９に挿入されて柱２１をその最終設置位置にロックし、ばね２３に所望の張力が与えられて予め定められた回転力をスプール８に与える。一旦柱２１を用いてばね２３に張力を与えて筐体本体９に挿入すると、柱２１は、複数の一方向スナップ式突起１０１によってその中に永久的に保持される。また、装置１が完全に組立てられると、ロッキング爪３９の端の上に搭載されるカム突起４１（図４Ａ）は、カバープレート１５の内側面上に形成された湾曲ボス５２の内部に形成される湾曲凹部５２Ａの中に延在する。さらに、ロックアーム６９の端にあるラチェット歯７４は、図７Ａに示されるように、ロッキングディスク３５のラチェット歯７８のアーチ状セグメントと係合する。ロッキング爪３９の一方向歯車の歯４３は、装置１が図７に示されるようなロック位置にある場合は、スプールリング２７の歯車の歯２８とロッキング係合し、以下にさらに記載されるような図１５のロック解除位置にある場合はそれから係合解除される。
【００３７】
本発明の改良されたケーブル巻付防犯装置の動作の態様は図７から図１８に最もよく示される。図１７に示されるようなロック解除された未装着位置では、スプール８はほどき
方向に空転する。店員は、矢印Ａで示されるように、クリップ１９を外向きに引張り、これによりスプール８の周りからケーブル７をほどく。ケーブルは、端スロット開口８３の入口にクリップが存在する、図１８に示されるような位置にクリップ１９が達するまで、パッケージの角の付近に配置される。店員は、クリップ１９を矢印Ｂに示されるように開口８３に挿入し、これにより、クリップ１９の角度付きスロット８０への入口と整列したロックアーム６９のボス７５が、角度付きスロット８０に沿って角度付けられた態様で移動する。この移動によりロックアーム６９がピボット７３の周りで回動し、これによりアーチ状ラチェット歯７８（図７Ａ）と係合しているラチェット歯７４がロッキングディスク３５を十分に回転させて、湾曲ボス５２内での柱４１の移動により歯車の歯４３をスプールの歯２８と係合するように移動させる。この結果、クリップ１９、ボス７５およびラチェット歯４３は、図７に示されるようなロック位置をとるようになる。ロッキングタイン４９は自動的に図１６のロック解除位置から図１０のロック位置に移動して、遠端５０は凹部４７の中および凹部４７の端にある肩５４と当接係合する。図７のこのロック位置では、クリップ１９は、ロッキングアームボス７５および角度付きスロット８０の角度付き位置により、筐体５から係合解除されないようになっている。アーム７５は、ラチェット歯７４とロッキングディスク３５のラチェット歯７８との係合によりそれ以上移動することがないようにされている。なぜなら、ディスク３５は、凹部４７と係合するロッキングタイン４９およびスプール２６の一方向歯車の歯２８とロッキング爪歯車の歯との係合によりそれ以上移動しないようにされているからである。ロッキングアーム６９は、一方端でクリップ１９によってしっかりと固定され、他方端でラチェット歯７４によってしっかり固定されているので、移動しないようになっている。このように、ロッキングディスク３９の爪の歯４３がスプールの歯２８としっかりと係合する。スプールの歯２８と爪の歯４３との係合により、ケーブルをほどく方向または放す方向へのスプールのいかなるさらなる回転も防止される。
【００３８】
次に店員は、クロス部材３０を掴んで回して張力付与部材２９を手動で回転させることにより、張力付与方向にディスクスプール８を回転させる。通常は、部材３０をわずかに回すだけで、防犯装置中へスプール８の周りにケーブルを引込むことによるパッケージの周りでのケーブルのさらなる締付には十分である。このしっかり固定された位置で、ケーブル７を通して設けられる内部アラームおよび検知ループは、ケーブルの不正な切断を防止し、ＥＡＳタグ９０の存在により、防犯ゲートを通って保護パッケージが不正に持ち出されないようにする。
【００３９】
パッケージ３から防犯装置１を取外すためには、店員は、鍵位置決め桟６３に対して鍵６６を配置して、細長いスロット６１を通るようにおよびロッキングディスク３５の凹部５３の中に突起６５を配置して、ロッキングタイン４９の各々と１対の内部磁石１０３とを整列させる（図１１および図１３を参照）。ロッキングタインは、磁石１０３に引寄せられ、図１０のロック位置から図１３のロック解除位置まで、凹部４７内での係合から外れる。次にオペレータは、図１４の矢印Ｄに示されるようにカバープレート１５に沿ってごくわずかに鍵を動かすだけで、鍵の突起６５がスロットを有する開口６１に沿ってわずかに移動する。凹部５３への鍵突起６５の係合によりロッキングディスク３５が回転し、爪の歯４３をスプールのラチェット歯２８から係合解除する。なぜなら、カム突起４１は、湾曲ボス５２を通って移動して、ロッキングディスク３５が図１２の位置から図１５の位置まで反時計回りにわずかに回転するとスプールの歯２８から爪の歯を完全に係合解除するからである。この動きにより、ラチェット歯７８とラチェット歯７４との係合によりロックアーム６９が時計回り方向に回動し、これにより、ボス７５がクリップスロット８０内のロック位置から図１５のロック解除位置まで移動する。この移動はまた、図１３のロック解除位置から、ロッキングタインが凹部４７の中へ付勢されて戻らないようにされている図１６の位置へ、ロッキングストリップ５１およびロッキングタイン４９を移動させる。なぜなら、それらは、凹部との整列から外れてしまっているからである。図１２お
よび図１４に示されるようなロック解除位置に達すると、時計ばね２３によって与えられている付勢がケーブル引込みまたはケーブル巻上げ方向にスプール８を回転させて、これによりケーブルが図１４に示されるような矢印Ｄの方向に内向きに移動して、これにより図１２の位置から図１５の位置へ自動的にスプール８を回転させる。このように、ばね２３によってケーブル７に与えられる引込み張力は自動的に、タイン４９が凹部４７内から持上げられた際に矢印Ｅの方向（図１４）に筐体５内からクリップ１９を引張り、ロッキングディスク３５は、クリップを筐体内から係合解除する鍵突起６５によってわずかに移動される。ばねによって与えられる引込み張力は継続してスプール８を引込み方向に回転させるため、以前に延ばされたケーブルは、図１７に示されるものなどのように、スプール８上のその収納位置に自動的に引込まれるようになる。
【００４０】
クリップ１９が図１８の矢印Ｂに示されるようなアーチ状開口８３を通って筐体本体９に再挿入されると、これらの工程と逆のことが起こる。これは、上述のように、クリップスロット８０中のボス７５の作用によってロッキングアーム６９を回動させる。ここでも、この動きが、図７Ａに示されるようなロッキングディスク上の歯車の歯７８と歯車の歯７４との係合によりロッキングディスク３５をわずかに回転させ、これにより、爪の歯４３が筐体頂部カバープレート１５上に形成されたボス５２のアーチ状凹部中のロッキング爪ボス４１の移動によってスプールの歯２８を係合する。このロッキングディスク３５の移動は次に、ロッキングストリップ５１および特にロッキングタイン４９を図１６の位置から図１３の位置に移動させ、ここで、ロッキングタインに対する自然なばねの付勢により、ロッキングタイン４９は自動的に凹部４７の中に移動し、遠端５０が凹部肩５４と係合して、ロッキングタインが再び図１０の位置から図１６の位置まで鍵６６の使用によって凹部から再び外れるまで、しっかり固定されロックされた位置にさまざまな部材を配置する。
【００４１】
このように、本発明のロッキング装置は、装置内の引込み位置からケーブルを引張り出して時計ばね２３が付与する付勢力に打ち勝つことにより、パッケージの周りでのしっかり固定されロックされた位置に容易に配置されるケーブル巻付防犯装置を提供する。ロッキング装置は、筐体５にクリップ１９を挿入することによって自動的にロックされ、ラチェット機構を自動的に作動させて、繰出し方向またはほどく方向へのスプールの回転と結果的に装着されたケーブルの回転とを防止する。さらに、張力付与部材２９の露出端をわずかに手動で回転させることにより、装置が磁気式鍵６６などの特殊鍵によってロック解除されるまで、パッケージの周りのケーブルに対する所望の張力が達成されて、パッケージの周りからケーブルが外れないようになるまでさらなるケーブル巻上げ方向にスプール８に巻取ることによってケーブルをさらに引込む。また、ケーブルによって提供されるアラームシステムおよび検知ループにより、防犯装置内にしっかり固定され隠されたＥＡＳタグとともに、音響アラーム８５の使用によってまたＥＡＳタグの使用によって防犯装置１に対するいたずらが防止されて、防犯対策を施された出口を通してパッケージ全体および装着された装置が持ち出されるのを防止する。
【００４２】
図２０はクリップ１９とケーブル７との接続の代替的な実施例を示す。第１の実施例は特に図１５に示されている。図１５に示されるように、ケーブル７はクリップ１９を通る連続ループを単に形成するに過ぎず、ケーブルとクリップとの間で強い機械的接続が与えられているものの、これは図２０に示されかつ後述されるようなクリップ１９へのケーブル７の代替的な接続によって与えられるような付加的なセキュリティを与えるものではない。図２０に示されるように、ケーブル７は２本の別個のケーブルであり、その各々はわずかに拡大したコネクタ１０５の中で終端する。コネクタ１０５は、クリップ１９の両側に形成されるスロット１０７内で受けられかつ保持されるケーブルの端上に圧力嵌めされ得る。ケーブルコネクタ１０５は各々、プリント回路基板８７上に形成される適切な回路構成との接続によって電気的端子となるばねクリップ１０９と係合可能である。このよう
に、クリップ１９が筐体９の端開口８３を通ってまたはその中に挿入されると、ケーブル端子コネクタ１０５はばねクリップ１０９を機械的に係合して、プリント回路基板８７を通る電気回路を完成させる。このように、クリップ１９が筐体９から無理やり引抜かれると、プリント回路基板８７を通して確立される電気的連続性を途絶させることになってアラーム８５を鳴らすことになり、不正な出来事の発生が店員に知らされる。
【００４３】
ある種類の圧力スイッチ、磁気スイッチなど（今回図示）を防犯装置１に組入れ、プリント回路基板のアラーム回路構成は、ロック機構の正当な開封および本体９からのクリップ１９の取外しの際にはアラームを非活性化してアラームが鳴らないようにすることが容易に理解される。
【００４４】
所望により、この発明の概念に影響を及ぼすことなく、磁気吸引ロッキングタインの代わりに他の種類の防犯鍵を利用可能であることが容易に理解される。また、以上で示され説明されたような特定の時計ばね２３および張力付与部材２９以外にさまざまな種類の手動で作動される巻取装置およびばね機構も利用可能である。
【００４５】
本発明の変形された防犯装置が一般的に１１０で示され、特に図２１から図４０に示される。変形された防犯装置１１０は、一般的に１１３で示される主筐体を含み、主筐体は上部筐体部材１１４と、接着剤、音波溶接などによってともに接合されてケーブルスプール１１７が回転可能に搭載されるスプール区画１１６およびロック区画１１８を有する内部チャンバを形成可能な底部筐体部材１１５とを含む。上部筐体部材１１４は特に図２２Ａに示され、巻取機構１２１が回転可能に搭載される主円形開口１１９を有する細長い構成を有する。巻取機構１２１は、環状フランジ１２５の周に形成されるノッチ１２３の中に延在しかつスプール１１７上に形成される複数の突起１２２により、ケーブルスプール１１７に動作するように接続される。巻取機構１２１は、筐体開口１１９（図３８）を取囲んで筐体１１３のスプール区画１１６内に巻取機構１２１を保持する、下向きに延在する環状突起１２７の下に位置する実質的に環状の外側フランジ１２５を含む。巻取機構１２１は、巻取機構の主ディスク状本体部分１３１上に１対のピボットピン１３０によって回動するように搭載される跳ね上げ式ハンドル１２９を含む。巻取機構１２１は、ケーブルスプール１１７とともに回転可能であるように、突起１２２によってケーブルスプール１１７にしっかり固定される。
【００４６】
単一のループまたは１対のケーブルであり得るケーブル１３３はスプール１１７に接続され、他方のケーブル端は一般的に１３５で示される装着クリップに接続される。ケーブル１３３は、底部筐体部材１１５に形成される円形孔１３８に搭載される、円形プレート１３７（図２２Ｂ、図２４および図３８）から上向きに延在する柱１３９上に、スプール区画１１６内に回転可能に搭載されるスプール１１７上に収納される。柱１３９はスロット１４１を有するように形成され、その中にコイルばね１４３の端１４２がしっかり固定され、これによりスプール１１７に付勢力が与えられて巻取り方向にスプールを回転させ、図３８および図３９に示されかつ以下にさらに論じられるようにスプール上にケーブルを収納位置に引込む。スプール１１７は間隔をあけられたフランジ１４５および１４６（図２２Ｂおよび図２５）と介在壁１４７とを有し、これによりその間にケーブル収納区域が形成される。スプール１１７に装着され筐体１１３を出て行くケーブル２本のみまたはケーブルループの使用は、筐体を出て行く４本のケーブルループまたは区間を有する米国特許第５，７２２，２６６号に示されるものなどのような先行技術のケーブル防犯装置に勝る改良である。これによりケーブルの絡まりが低減され、対象物の周りにケーブルを配置した後に手動でスプールを回転させた場合に４つのケーブルループに対して可能であるよりも大きな巻上げ張力が２つのケーブルループに対して加えられるようになる。
【００４７】
ケーブル１３３をスプールにしっかり固定するための複数のノッチ１４４を壁１４７に
形成してもよい。複数の歯車の歯１４９は、好ましくはスプールフランジ１４５および１４６の両方の外周上に形成され、スプール区画１１６内でのスプール１１７の回転運動を制御するためのラチェット機構の一部を形成する。コイルばね１４３は、図３８に示されるように、スプール柱１３９がその中を通って延在する底部壁１５３に形成される中央孔１５２を有する円筒形ばね保持具１５１（図２９）内に着座する。保持具１５１は、スプールフランジ１４５によって筐体底部部材１１５に対して挟持される。ばね１４３の第２の端１５５は、ばね保持具側壁１５７（図２２Ｂ）の中に形成されてばね１４３をばね保持具１５１にしっかりと固定するスロット１５６に挿入される。以上で論じたような巻取機構１２１はスプール１１７に固定され、跳ね上げ式ハンドル１２９を用いて、以下にさらに論じられるように手動で回転されて、図３３の矢印Ａで示されるように時計回り方向にスプール１１７を回転させて、ばね１４３の付勢力によってケーブルを筐体１１３内に引込んだ後に製品の周りでケーブル１３３を締める。ケーブル１３３は、上部筐体部材１１４の細長い側壁１６０の一方端に形成された１対の孔１５９を通って筐体１１３を出て行く。
【００４８】
スプールの歯１４９と係合してほどく方向にスプールが動かないようにするラチェット機構は、ばねによって付勢されるスプールロッキングレバー１６２（図２２Ｂおよび図２８）を含み、これは、Ｕ字状ばね１６３によって付勢されて、スプールフランジ１４５および１４６上に形成されたスプールの歯車の歯と係合する。ロッキングレバー１６２は、図３９に示されるようにピボットピン１６５によってスプール区画１１６内に回動するように搭載され、スプールの歯と係合する向きに付勢される。図２８に示されるように、間隔をあけられた１対の突起１６６がロッキングレバー１６２の一方端上に形成され、この突起は、図３０に示されるようなフランジ１４５および１４６上の間隔をあけられた１対の歯車の歯と係合する。１対の歯車の歯および１対の突起１６６を用いることにより、泥棒による不正行為に対する耐性が増大するとともに、防犯装置１１０に対する防犯突起（security projections）が増大する。なぜなら、そうすることにより、装着されたケーブルに対するより大きな張力に耐えることができるからである。
【００４９】
この発明の特徴のうち１つに従うと、解除ボタン１６９（図２２Ｂおよび図３０）は、スプール区画１１６にピボットピン１６５によって回動するように搭載される。解除ボタン１６９はピボットから反対側の端に外向きに突出する爪１７１を含み、その機能を以下にさらに論じる。この発明の別の特徴に従うと、装着クリップ１３５（図２２Ａ）は、一般的に１７３で示されるロッキングクリップと、クリップハウジング１７４とを含む。ケーブル１３３は、１対の金属フェルール（ferrule）１７５によってロッキングクリップ１７３中にしっかり固定された２つのケーブル区間として示される。フェルール１７５はケーブル１３３の端に装着され、クリップ１７３の中に形成されてケーブルをロッキングクリップ１７３の一方端にしっかり固定する区画１６７の中に着座する。ケーブル１３３は、クリップハウジング１７４の端壁１７８に形成された細長いスロット１７７（図２７）を通して外向きに延在する。ロッキングクリップ１７３は一般的に矩形の平面構成を有し、スロット１７０によって１対の脚部１６８に分割される。各々の脚部は間隔をあけられた第１の対の凹部１７９（図２２Ａおよび図３１）を有するように形成され、その各々は直角の肩１８４と反対側の上向きに延在する先細の後部壁１８０の中で終端し、また各々の脚部は凹部１７９から後方に間隔をあけられた第２の対の凹部１８１を有する。ロッキングクリップ脚部１６８の前方周縁は、第１の対の凹部１７９に隣接する先細面１８３を有する。これらの凹部および角度付き面の機能を、ロック区画１１８内の装着クリップ１３５の配置およびロッキングに関して以下にさらに論じる。
【００５０】
一般的に１８５で示されるロッキング機構は、筐体１１３の装着クリップ入口端１８６に搭載される。入口端１８６は、以下にさらに論じるように、摺動可能にロッキングクリップ１７３を受けるための外向きに延在する矩形のフレーム１８８（図３１）によって形
成されたスロットを有する開口１８７を備えるように形成される。ロッキング機構１８５は、金属などの磁気的に吸引可能な材料から好ましくは形成される、間隔をあけられた１対のロッキングプランジャ１９０を有するロッキングシャトル１８９を含む。ロッキングシャトルは、ロッキングクリップ１７３の凹部１７９および１８１の中に係合可能で、装着クリップ１３５を筐体１１３にドッキングする端ロッキング突起１９１を有する。シャトル１８９は窪んだ凹部１８８を有し、これは、ロック位置にある際は電池１９９からの隙間を設ける。上部筐体部材１１４（図２３および図３５）の内側面上に一体に形成されかつロッキングシャトル１８９（図２２Ａおよび図３５）の中に形成される整列孔１９７の中に延在する１対の柱１９５の周りに１対のコイルばね１９３が搭載される。ばね１９３は、ロッキングシャトル１８９および特にロッキングプランジャの端１９１を、ロッキングクリップ１７３の凹部１７９および１８１とロッキング係合するように付勢する。
【００５１】
変形された防犯装置１１０は、ロック区画１１８内に位置し、電池１９９（図３８）によって電力供給されるプリント回路基板８７と動作するように係合する圧電アラーム８５を含む。光導体２００（図３８）は、回路基板８７上に搭載されるＬＥＤ２０１に隣接して、上部筐体部材１１４中に形成される孔２０２の中に搭載され得る。ＬＥＤは、プリント回路基板８７上に形成されたアラーム回路構成が、装着クリップ１３５および特にロッキングクリップ１７３が図２１、図３５、図３６、図３７および図３８に示されるような最終的なそのロッキング位置にあるときに活性化されると点灯する。この最終ロック位置において、ケーブル１３３の端上に搭載されるフェルール１７５は、プリント回路基板８７から下向きに延在する電気コンタクト２０３と係合し、これに電気的に接続して、コンタクト２０３とフェルール１７５との間の電気的接続によってケーブル１３３を通してプリント回路基板８７のアラーム回路を完成させる。これにより、ケーブル１３３を通って延びる検知ループが提供される。ＥＡＳタグは、所望によりロック区画１１８内または装置１１０内の他の場所に搭載されて、装置により一層のセキュリティを付加することができる。
【００５２】
ケーブルクロスオーバーパッド２０５（図２１）をケーブル１３３上に搭載してもよく、これは一般的に防犯装置１１０の側とは反対側のパッケージ上に位置する。パッド２０５は保護されるパッケージまたは他の品目の周りでケーブルを維持するのを助け、ケーブルがパッケージの周縁から滑り落ちにくくする。パッド２０５はまた、２０６で示される、筐体１１３に含まれるアラーム回路構成のうちの一部を含むことも可能である。クロスオーバーパッド２０５の中にアラーム回路構成の電子部品の一部を配置することにより、防犯装置１１０のサイズおよび複雑さを減じることができる。所望によりクロスオーバーパッド２０５の中またはその上にＥＡＳタグも容易に配置することができる。
【００５３】
変形された防犯装置１１０の動作の態様が図３０から図４０に最もよく示される。図３０に示されるようなロック解除位置では、店員は、図３３に示されるものなどのボタン１６９を押下して、ロッキングレバー１６３を反時計回り方向に回動させる。なぜなら、ボタン１６９の表面２１６はロックレバー１６２（図２２Ｂ）の表面２１７と当接するように係合しているからである。ロッキングレバー１６２のこの回動運動は、歯車の歯１４９から突起１６６を係合解放し、ほどく方向にスプール１１７を空転状態にする。店員は装着クリップ１３５上を外向きに引張り、これによりスプール１１７に対するばね１４３のいかなる付勢にも打ち勝って、スプール１１７の付近から十分な量のケーブル１３３をほどいて、装着クリップ１３５が入口スロット開口１８７にある図３０に示すような位置にクリップ１３５が達するまで、ケーブルをパッケージの角の周りに配置する。スプール１１７からこのケーブル１３３をほどくと、ケーブル１３３をスプール上に巻取ろうとする張力がスプールばね１４３にさらに付与される。しかしながら、これは、店員がボタン１６９に対する圧力を解放することによって防止される。なぜなら、Ｕばね１６３は、ロッキングレバー１６２およびその突起１６６を、歯車の歯１４９とのロッキング係合に戻す
ように付勢するからである。次に店員は、図３０、図３１の非ラッチおよび非ロック位置から図３２および図３３の部分的ロック位置へ、クリップ１３５をスロット開口１８７に挿入する。ロッキングクリップ１７３がスロット開口１８７（図３２）を通して挿入されると、ロッキングクリップ１７３の先細のまたは傾斜した端１８３は、図３１のそれらの下向きに付勢された位置から矢印Ｂで示されるような図３２の持上げられる位置にロッキングプランジャ１９０を移動させる。ロッキングクリップ１７３が図３２の位置から図３３および図３４の第１のロック位置まで筐体１１３の開口１８７にさらに挿入されると、ロッキングプランジャ１９０は、第１の対の凹部１７９の中へばね１９３によって下向きに付勢される。図３７のこの第１のロック位置にあると、ロッキングクリップ１７３は筐体１１３から外れないようにされる。
【００５４】
スプール１１７がばね１４３によって巻取り方向に付勢されていても、スプールの歯１４９を係合するレバー突起１６６をロックすることにより、スプール１１７がケーブルを引込まないようにされる。次に店員はパッケージの周りにケーブルを位置決めして、次に図３３の矢印Ｆで示されるようにボタン１６９を押下する。ばね１４３は巻取り方向にスプール１１７を回転させ、これによりケーブルの弛みがスプール１１７の付勢された回転によって自動的に巻上げられることにより、パッケージの周りのケーブルに自動的に張力が付与される。次に店員は、矢印Ｄの方向に図３３の第１のロック位置から図３６の完全ロック位置へ装着クリップ１３５を移動させる。この移動の間に、ロッキングクリップ１７３は、図３４の第１のロック位置から図３７の完全ロック位置へ移動し、ロッキング突起１９０はそれらが上向きに先細になった面１８０に沿って移動するにつれてまず上向きに持ち上がり、その後自動的にロッキング凹部１８１の中に落ちて、縦の壁または肩１８４によって後方へ移動しないようにされる。この完全ロック位置に達すると、フェルール１７５はプリント回路基板８７の電気コンタクト２０３と係合し、ケーブル１３３の導体およびアラーム回路を通る電気経路を設け、ケーブルを通る検知ループを設けるので、ケーブル１３３が潜在的な泥棒によって切断された場合は、圧電アラーム８５が鳴る。図３６および図３７のこの完全ロック位置に移動する前に、ボタン１６９の押下が取除かれると、その結果、Ｕばね１６３はロッキングレバー１６２を内向きに付勢し、これによりロッキング突起１６６は図３０に示されるような隣接する歯車の歯１４９の中に入る。このロック位置にある場合、ボタン１６９の爪１７１は、ロッキングクリップ１７３（図３６）の側面端縁２０７に隣接して位置する。これは、ボタン１６９が内向きに押下されることを防止し、ロッキング突起１６６が歯車の歯４９内から外れるのを防止する。このように、ロッキングクリップ１７３が図３５、図３６および図３７の完全ロック位置に達すると、ケーブルは、コイルばね１４３によってケーブル１３３に加えられる力によりパッケージ付近で張力を付与される。しかしながら、店員は、巻取機構１２１の跳ね上げ式ハンドル１２９を単に持上げて、スプール１１７に装着された巻取機構を図３９の矢印Ａで示されるような時計回り方向に手動で回転させて、所望の張力までパッケージの周りでケーブルをさらに締める。ケーブルは締付または巻取り方向に移動する。なぜなら、ロッキングレバー１６２は、ボタン面２１６とロッキングレバー面２１７との当接によりスプールの歯１４９と係合していると、図３９に示されるように反時計回り方向に回動することはできるが、時計回り方向に回動することができないからである。ボタン１６９は、ロッキングクリップ１７３の側面端縁２０７と爪１７１との係合により、内側へ動かないようにされている。フェルール１７５とプリント回路基板コンタクト２０３との間の接触はアラーム回路構成を活性化させ、ＬＥＤ２０１を点灯させる。ＬＥＤは、光導体２００を通して店員および潜在的な泥棒に認識される。
【００５５】
ロックされた機構をロック解除するため、磁気式鍵６６（図１９）は、クリップハウジング１７４中に形成された整列孔２１１の中に突起６５を挿入しかつ位置付けることによって、クリップハウジング１７４の頂面上に適切に配置される。この整列により、図４０に示されるように、磁石１０３がロッキングプランジャ１９０と適切に整列されることが
確実になる。磁石１０３は、図３５のそれらのロック位置から矢印Ｅで示されるような図４０のロック解除位置へロッキングプランジャ１９０を移動させる。図４０のロック解除位置に達すると、クリップ１７３は、スロット開口１８７を通してロッキングクリップを摺動させて外に出すことにより、筐体１１３から容易に取外される。
【００５６】
この発明の別の特徴に従うと、磁石１０３に向けた吸引によりプランジャ１９０およびシャトル１８９が上向きに移動すると、シャトル１８９は、プリント回路基板８７（図３２および図３７）上に搭載されたスイッチ２１０を係合しこれを押下する。これによりアラーム回路構成が非活性化されて、筐体１１３からクリップ１３５が取外された際にアラームが鳴らなくなる。
【００５７】
装着クリップ１３５が筐体１１３から取外されて図３０の位置に戻された後、爪１７１はロッキングクリップ１７３の側面端縁２０７から係合解除され、この結果、ボタン１６９を押下することができるようになり、スプールの歯１４９からロッキング突起１６６を係合解除し、これによりばね１４３によって加えられている付勢力により筐体の中へおよびスプール１１７の周りにケーブルが自動的に引込まれる。このように、店員は、鍵６６を筐体の中に配置した後、筐体１１３の中から装着クリップ１３５を単に取外して解除ボタン１６９を押下することにより、クリップ１３５が入口端１８６の位置から筐体１１３の反対側端の非常に隣接した位置に達するまで、またはクロスオーバーパッド２０５が防犯装置１１０と共に用いられている場合はパッド２０５が筐体１１３の端と係合するまで、ケーブルが筐体の中に戻ってスプールの周りに巻取られるのを制御する。この筐体の中へのケーブルの自動引込みにより、これまでは隣接する製品または他の防犯装置およびケーブルと絡まっていた余ったケーブルが筐体１１３からぶらぶらしたままにならなくなる。
【００５８】
上述の防犯装置１と同様に、アラームシステムは所望のセキュリティを与え、内部アラームを鳴らさずにケーブル１３３が切断されるのを防止し、さらに跳ね上げ式ハンドル１２９を容易に手動で回転させることにより所望の張力まで製品の周りでケーブルを締めることができるようになる。クロスオーバーパッド２０５を変形された防犯装置１１０と共に用いても用いなくてもよく、これはアラーム回路構成の一部を含んだり、または以上で論じられたようなＥＡＳタグをその中に内蔵してもしていなくてもよいことが容易に理解される。
【００５９】
図３７および図３９に示されるような完全ロック位置にある場合、クリップハウジング１７４の内側端縁２１４との間に僅かなギャップ２１３が形成され得る。これにより、装着クリップ１３５は、店員が防犯装置１１０をロック解除して筐体から装着クリップ１３５を取外し始めると、図３７に示されるように矢印Ｆの方向に僅かに内向きに手動で移動され得る。この僅かな内向きの移動により、これまでは筐体１１３内からの係合から装着クリップ１３５を引抜こうとするコイルばねの張力によって共に固く挟持されていた、凹部肩１８４を備えるロッキングプランジャ端１９１の端縁との間に生じる摩擦力をなくすことにより、ロッキングプランジャ１９０の上向きの移動が容易になる。このように、図４０に示されるような位置に磁気式鍵６６を配置することにより、店員は、装着クリップ１３５を僅かに内向きに押して、ロッキングプランジャが引込まれて筐体内からの装着クリップのロック解除および取外しが容易になるまで、ロッキングプランジャとロッキングクリップとの間の圧力を低減させる。さらに、スプール１１７の周りでのケーブル２本のみまたは１つの連続ケーブルループの使用により、スプール上にケーブルがよりきつく巻取られるようになり、かつロッキングレバーに対する力がより小さくてすみ、その結果、先行技術のケーブル巻付防犯装置におけるような４本の別個のケーブルが用いられる場合に発生するよりもケーブルの絡まりがかなり少なくなる。
【００６０】
さらに、図２１に示されるような筐体１１３の細長くやや楕円形の形状は、防犯装置が円形である場合よりも、店員による把持がより容易な装置を提供する。なぜなら、これは、店員の手の中で常に把持された位置に留まるので、ボタン１６９の押下の際のスプールからのケーブルのほどきおよび巻取りがさらに容易になるからである。
【００６１】
防犯装置１１０の別の利点は、圧電アラーム８５が、図３８に示されるような底部筐体部材１１５および複数のスピーカ孔２１５（図２２Ｂ）に非常に隣接して位置して、孔が防犯装置の頂部に露出している場合にスピーカ孔を通してスピーカおよび電子部品にアクセスしようとし得る潜在的泥棒からの保護を与えることである。この結果、防犯装置１１０が対象物にしっかり固定されている場合にスピーカ孔およびアラームが下を向くことになり、スピーカ孔が露出している場合に起こり得る、スピーカ孔を通した尖った物体の挿入による泥棒によるアラーム不能化ができなくなる。筐体内にアラームが内蔵されているかもしれないことを泥棒に示す、擬似スピーカ孔２２０をディスク１３１に形成してもよい。さらに、小さな孤立した足部または突起２２２が好ましくは底部筐体部材１１５の底面から延在して、スピーカ孔としっかり固定された対象物との間のギャップまたは間隔を設けることによって、作動した場合にアラーム８５からの音の伝達がよりよくなる。
【００６２】
本発明に従うと、２つの別個のクリップとして装着クリップ１３５を形成することも可能である。その場合、その各々は、１対のケーブルのうち一方に装着され、筐体の端開口を通して個別に挿入され、上述のものと同様のロッキング機構によってロックされる。これにより、ケーブルのうち少なくとも１つがそれによって保護される製品の小さな開口を通して挿入可能になり、製品が箱または同様の直方体構成を有する必要なく、その製品に対する保護を与える。同様に、装着クリップ１３５を、筐体１１３にラッチされる前に製品の開口を通して挿入することができ、これにより製品を支持構造などにしっかり固定し得る、アラームを有する防犯装置を提供することができることが理解される。
【００６３】
防犯装置１１０の別の利点は、ケーブル１３３に対して大きな力が加えられると、ケーブルがフェルール１２５（図３０）から離れるように引張られ得、さもなければフェルールとコンタクト２０３（図３７）との電気コンタクトが破壊され、アラーム８５を作動させることである。
【００６４】
ここでも、ロック解除位置にある場合に筐体から取外される装着クリップへのケーブルループまたはケーブル区間２つのみの装着は、必要とされるまでの筐体内へのケーブル引込みを可能にし、先行技術のケーブル巻付防犯装置で発生するような絡まりやすい露出ケーブルをなくす。同様に、引込みばね機構は、手動でケーブルを締める前であって対象物の周りにケーブルを配置した後およびケーブルが保護対象物から取外された後に、容易にケーブルの弛みを巻上げることができるようにする。
【００６５】
本明細書中で使用されるような「ロック」または「ロックされた」という用語は、要素を元通りにするのに鍵を必要としない２つの要素間の接続を表わす「ラッチされた」という用語からの区別のため、ロック状態からロック解除状態へ変化させるには何らかの種類の鍵が必要であることを意味する。
【００６６】
以上の説明では、簡潔さ、明確さ、および理解のためにある用語が使用された。先行技術の要件を超えて不要な限定がそれらから暗示されるべきではない。なぜなら、そのような用語は記述の目的のために用いられるものであり、広く解釈されることが意図されるからである。
【００６７】
さらに、この発明の説明および図示は例示的なものであり、この発明は示されたまたは説明された正確な詳細に限定されるものではない。
【図１】
2010522930.tif 000003
【図２】
2010522930.tif 000004
【図３】
2010522930.tif 000005
【図４】
2010522930.tif 000006
【図４Ａ】
2010522930.tif 000007
【図４Ｂ】
2010522930.tif 000008
【図５】
2010522930.tif 000009
【図６】
2010522930.tif 000010
【図７】
2010522930.tif 000011
【図７Ａ】
2010522930.tif 000012
【図８】
2010522930.tif 000013
【図９】
2010522930.tif 000014
【図１０】
2010522930.tif 000015
【図１１】
2010522930.tif 000016
【図１２】
2010522930.tif 000017
【図１３】
2010522930.tif 000018
【図１４】
2010522930.tif 000019
【図１５】
2010522930.tif 000020
【図１６】
2010522930.tif 000021
【図１７】
2010522930.tif 000022
【図１８】
2010522930.tif 000023
【図１９】
2010522930.tif 000024
【図２０】
2010522930.tif 000025
【図２１】
2010522930.tif 000026
【図２２】
2010522930.tif 000027
【図２２Ａ】
2010522930.tif 000028
【図２２Ｂ】
2010522930.tif 000029
【図２３】
2010522930.tif 000030
【図２４】
2010522930.tif 000031
【図２５】
2010522930.tif 000032
【図２６】
2010522930.tif 000033
【図２７】
2010522930.tif 000034
【図２８】
2010522930.tif 000035
【図２９】
2010522930.tif 000036
【図３０】
2010522930.tif 000037
【図３１】
2010522930.tif 000038
【図３２】
2010522930.tif 000039
【図３３】
2010522930.tif 000040
【図３４】
2010522930.tif 000041
【図３５】
2010522930.tif 000042
【図３６】
2010522930.tif 000043
【図３７】
2010522930.tif 000044
【図３８】
2010522930.tif 000045
【図３９】
2010522930.tif 000046
【図４０】
2010522930.tif 000047
【国際調査報告】
2010522930.tif 000048